(57)【特許請求の範囲】
【請求項１】
陳列棚の下端部における前後方向を向く左右１対の側板間に、ストッカーを収容しうるようにした陳列棚におけるストッカー収納装置において、
ストッカーの前部下面にキャスタを設けるとともに、ストッカーの後部に、垂直ローラを、左右方向を向く軸をもって枢着し、前記側板の内面に、前記垂直ローラを、ストッカーの移動軌跡の前限から後限までの範囲に亘って、ほぼ水平の前後方向に案内する後部案内手段と、ストッカーの前限より前方への移動を阻止するストッパと、ストッカーが後限に近づいた位置から後限に至るまでの間において、ストッカーの前部を、前記キャスタが床面から浮上するように案内する前部案内手段とを設け、さらに、ストッカーの後部下面にも、キャスタを、ストッカーの後部が後部案内手段により案内されている間は、床面より浮上するようにして設け、ストッカーを、左右の側板間から外したとき、ストッカーが、前後のキャスタにより、自立して移動しうるようにしたことを特徴とする陳列棚におけるストッカー収納装置。
【請求項２】
後部案内手段を、垂直ローラが上面に沿って転動するようにした前後方向を向くガイドレールとし、かつストッパを、前記ガイドレールの前端より起立し、垂直ローラが当接することにより、垂直ローラのそれ以上の前方への移動を阻止する当接面と、この当接面の上端より前下方に向かって傾斜し、前方より進入してきた垂直ローラを、後上方に乗り上がるように案内する傾斜面とを有するものとした請求項１記載の陳列棚におけるストッカー収納装置。
【請求項３】
ガイドレールの上面に、ストッカーが後限に達したとき、垂直ローラが落ち込むようにした凹部を設けた請求項２記載の陳列棚におけるストッカー収納装置。
【発明の詳細な説明】
【技術分野】
【０００１】
本発明は、陳列棚の下端部における左右１対の側板間に、ストッカーを収容しうるようにした陳列棚におけるストッカー収納装置に関する。
【背景技術】
【０００２】
従来のこの種の陳列棚におけるストッカー収納装置には、ストッカーを引出し式としたもの(例えば特許文献１参照)や、ストッカーにキャスタを設け、ストッカーを床に沿って自由に移動できるようにしたもの(例えば特許文献２参照)等がある。
【特許文献１】特開２００７−１３０３６２号公報
【特許文献２】特開２０００−２０１７８２号公報
【発明の開示】
【発明が解決しようとする課題】
【０００３】
しかし、特許文献１に記載されている引出し式のものは、ストッカーを引出したとき、陳列棚全体の重心が前方に移動し、陳列棚が前傾するおそれがある。また、ストッカーを陳列棚から外したときのストッカー自体の移動が不便である。
【０００４】
特許文献２に記載されているキャスタ式のものは、ストッカー自身の荷重はキャスタで受け、自由に移動できるとともに、引出し時に、陳列棚の重心が変動するおそれがない反面、床面に不陸がある場合、陳列棚とストッカーとの左右のレベルがずれて、美観を損ねたり、ストッカーが陳列棚のストッカー収容部に片当たりしたりするおそれがある。
【０００５】
本発明は、従来の技術が有する上記のような問題点に鑑み、ストッカーを収納したとき、床面に不陸があっても、陳列棚とストッカーと間にレベルのずれが生じることがなく、しかも、ストッカーの出し入れ時の陳列棚全体の重心の移動を小さくすることができるとともに、陳列棚から引き出したストッカーを、単独で自由に移動できるようにした陳列棚におけるストッカー収納装置を提供することを目的としている。
【課題を解決するための手段】
【０００６】
本発明によると、上記課題は次のようにして解決される。
(１)  陳列棚の下端部における前後方向を向く左右１対の側板間に、ストッカーを収容しうるようにした陳列棚におけるストッカー収納装置において、ストッカーの前部下面にキャスタを設けるとともに、ストッカーの後部に、垂直ローラを、左右方向を向く軸をもって枢着し、前記側板の内面に、前記垂直ローラを、ストッカーの移動軌跡の前限から後限までの範囲に亘って、ほぼ水平の前後方向に案内する後部案内手段と、ストッカーの前限より前方への移動を阻止するストッパと、ストッカーが後限に近づいた位置から後限に至るまでの間において、ストッカーの前部を、前記キャスタが床面から浮上するように案内する前部案内手段とを設ける。
【０００７】
(２)  上記(１)項において、ストッカーの後部下面にも、キャスタを、ストッカーの後部が後部案内手段により案内されている間は、床面より浮上するようにして設け、ストッカーを、左右の側板間から外したとき、ストッカーが、前後のキャスタにより、自立して移動しうるようにする。
【０００８】
(３)  上記(１)または(２)項において、後部案内手段を、垂直ローラが上面に沿って転動するようにした前後方向を向くガイドレールとし、かつストッパを、前記ガイドレールの前端より起立し、垂直ローラが当接することにより、垂直ローラのそれ以上の前方への移動を阻止する当接面と、この当接面の上端より前下方に向かって傾斜し、前方より進入してきた垂直ローラを、後上方に乗り上がるように案内する傾斜面とを有するものとする。
【０００９】
(４)  上記(３)項において、ガイドレールの上面に、ストッカーが後限に達したとき、垂直ローラが落ち込むようにした凹部を設ける。
【００１０】
(５)  上記(３)または(４)項において、ストッパを、ガイドレールより上方に突出する上昇位置と、上端がガイドレールの上面と等高かまたは若干上方に位置する下降位置とに上下動可能として側板に装着し、かつストッパを上向きに付勢する付勢手段を側板に設ける。
【００１１】
(６)  上記(１)〜(５)項のいずれかにおいて、前部案内手段が、側板の内面に、左右方向を向く軸をもって枢着したガイドローラと、ストッカーに設けられ、かつストッカーが後限に近づいたとき、前記ガイドローラに乗り上がることにより、ストッカーの前部を、キャスタが浮上するまで上昇させる、後上向き傾斜する傾斜面と、この傾斜面の前端より連続して前方を向き、かつ前記ガイドローラ上を後方へ移動することにより、ストッカーの前部を、キャスタが浮上した状態で維持するようになっている水平面とを有するものとする。
【００１２】
(７)  上記(１)〜(５)項のいずれかにおいて、前部案内手段が、ストッカーの前部に、左右方向を向く軸をもって枢着した第２の垂直ローラと、側板の内面に設けられ、かつストッカーが後限に近づいたとき、前記第２の垂直ローラが乗り上がることにより、ストッカーの前部を、キャスタが浮上するまで上昇させる、前下方に向かって傾斜する傾斜面と、この傾斜面の後端より連続して後方を向き、かつ前記第２の垂直ローラが後方へ移動することにより、ストッカーの前部を、キャスタが浮上した状態で維持するようになっている水平面とを有するものとする。
【発明の効果】
【００１３】
本発明によると、次のような効果を奏することができる。
上記(１)項の発明によると、ストッカーを収納位置としたとき、ストッカーは、キャスタが床面から浮上した状態で、後部が後部案内手段により、また前部が前部案内手段により支持されるようにしてあるので、床面に不陸があっても、陳列棚とストッカーと間にレベルのずれが生じることはなく、常に美麗な外観を呈することができる。
また、ストッカーを収納位置から手前に少し引くと、キャスタが接床し、ストッカーの前部の荷重をキャスタで支承することができるので、ストッカーの出し入れ時の陳列棚全体の重心の移動を小さくすることができる。
【００１４】
上記(２)項の発明によると、ストッカーの後部下面にも、キャスタを設けてあるので、ストッカーを、陳列棚から外したとき、ストッカーを、前後のキャスタにより、単独で自立した状態で自由に移動させることができる。
【００１５】
上記(３)項の発明によると、後部案内手段を、簡単な構造のものとすることができ、安価に製造することができる。
また、ストッカーを陳列棚に装着する際は、垂直ローラが、ストッパの傾斜面上に乗り上げて、ストッカーの後部が若干持ち上げられつつ、ストッカーは円滑に案内される。
さらに、ストッカーを前限まで引き出した後、垂直ローラがストッパを乗り越えるように、ストッカーの後部を若干持ち上げつつ、前進させることにより、ストッカーを陳列棚から容易に離脱させることができる。
【００１６】
上記(４)項の発明によると、ストッカーが後限に達したとき、垂直ローラがガイドレールの上面に設けた凹部に落ち込むようにしてあるので、地震その他の振動等により、ストッカーが無暗に移動することがない。
【００１７】
上記(５)項の発明によると、ストッカーを陳列棚に装着する際、垂直ローラが、ストッパの傾斜面に押し付けられると、ストッパが下降位置まで下降するので、垂直ローラおよびストッカーの後部が大きく持ち上げられることなく、垂直ローラはガイドレールに乗り上がることができ、ストッカーを陳列棚に、より円滑に挿入することができる。
【００１８】
上記(６)および(７)項の発明によると、前部案内手段を、簡単な構造のものとすることができ、安価に製造することができる。
【発明を実施するための最良の形態】
【００１９】
以下、本発明の実施形態を、添付図面を参照して説明する。  
図１〜図１０は、本発明の第１の実施形態を示す。
図１は、本発明の第１の実施形態を備える陳列棚を示す。
この陳列棚は、左右１対の支柱１、１の下端部に、前後方向を向くベース脚２、２の後端を結合するとともに、両支柱１、１の上端部同士、および下端部同士を、左右方向を向く横連結杆３、３(下方のものは図２参照)をもって連結したフレーム４を備えている。
【００２０】
各支柱１の下端と、ベース脚２の前端部下面とには、レベル調節用のアジャスタボルト５が設けられ、そのアジャスタボルト５の下端が、床面６に接している。
左右の支柱１、１と、上下の横連結杆３、３とにより囲まれた空間には、背板７が嵌合されている。
【００２１】
各支柱１の前後両面には、複数の係止孔８が、上下方向に等間隔をもって、かつ左右２列として設けられており、これらの係止孔８の所望のものに、左右１対の棚板ブラケット９、９の後端に設けたフック(図示略)を係止し、左右の棚板ブラケット９、９上に、棚板１０の左右の端部下面を載置することにより、複数の棚板１０が、支柱１、１の前面に、上下多段状に取り付けられている。
【００２２】
各ベース脚２上には、ベース棚板１１用のブラケット１２が、後述するようにして、ベース脚２と支柱１とに取り付けられている。この実施形態においては、ブラケット１２とベース脚２とにより、側板１３が形成されている。
【００２３】
左右の側板１３、１３、すなわち左右のブラケット１２、１２上に、ベース棚板１１を載置することにより、左右の側板１３、１３と、ベース棚板１１と、床面６との間に、ストッカー収容空間１４が形成されている。
なお、ベース脚２とブラケット１２とを一体的に形成して、側板１３とすることもある。
【００２４】
図１に想像線で示すように、フレーム４の後面にも、棚板ブラケット９、棚板１０、ベース棚板１１、側板１３等を、前面におけるものと前後対称の構造をもって取り付け、前後いずれからも陳列商品を出し入れできる両面型の陳列棚として実施することもある。
【００２５】
図２〜図５に示すように、ベース脚２は、支柱１の左右方向の幅のほぼ２分の１の幅の前後方向を向く角管状をなし、その内側面には、前後２個の方形の係合孔１５、１５が設けられている。
【００２６】
ブラケット１２は、支柱１の左右方向の幅のほぼ２分の１の幅の薄板状をなし、その下端を、ベース脚２の上端に載置するとともに、下端内側縁より垂下する垂下片１２ａに設けた前後１対の外下向きの切り起し爪１６、１６を、ベース脚２の前後の係合孔１５、１５の下縁に係止することにより、ベース脚２に結合され、かつ上部後端に設けた後方を向く係止フック１７(図４参照)を、支柱１の前面における内側の列の所要の係止孔８に係止することにより、支柱１に取り付けられている。
【００２７】
ブラケット１２の上部には、縦長の中空部１２ｂが形成されている。ブラケット１２の前部の下端における垂下片１２ａの上方には、ローラ支持片１８が内向き突設されており、ローラ支持片１８の先端部下面には、水平のガイドローラ１９が、上下方向を向く軸２０をもって枢着されている。
【００２８】
ブラケット１２の内面における上下方向の中間部には、内方を向く水平片２１ａと、その先端から垂下する垂下片２１ｂとを備える前後方向に長いガイドレール２１が設けられている。
水平片２１ａの後部上面には、方形の切欠き２１ｃが設けられている。この切欠き２１ｃに代えて、単なる凹部とすることもある。
【００２９】
ブラケット１２の内面におけるガイドレール２１の上方には、水平片２１ａと平行をなす水平片２２ａと、その後端から水平片２１ａの近くまで垂下する停止片２２ｂとを備える補助ガイドレール２２が設けられている。
【００３０】
ガイドレール２１における水平片２１ａの前端部上面には、ガイドレール２１の前端部より起立する当接面２３ａと、この当接面２３ａの上端より前下方に向かって傾斜する傾斜面２３ｂとを有するストッパ２３が設けられている。
【００３１】
また、ストッパ２３より内方において、ガイドレール２１の垂下片２１ｂの前端部内側面には、垂直のガイドローラ２４が、左右方向を向く軸２５をもって枢着されている。
【００３２】
図１および図３に示すように、ストッカー２６は、上面が開口する箱状をなし、上部に手掛け部２７を有する前面板２８と、左右１対の側板２９、２９と、後面板３０と、底板３１と、底板３１の下面に設けられた左右方向を向く前後１対の補強杆３２、３３と、前後の補強杆３２、３３に左右１対ずつ設けられたキャスタ３４、３４、３５、３５とを備えている。
【００３３】
ストッカー２６における各側板２９の外側面の後上部に設けられた外向きのブラケット３６には、ストッカー２６をストッカー収容空間１４に挿入したとき、左右のブラケット１２の上部内面に沿って転動するようにした水平ローラ３７が、上下方向を向く軸３８をもって枢着されている。
【００３４】
この水平ローラ３７がブラケット１２の上部内面に沿って転動し、かつガイドローラ１９が、ストッカー２６における側板２９の下部外側面に沿って転動することにより、ストッカー２６は、ストッカー収容空間１４内において、前後方向に円滑に移動できるように案内されている。
【００３５】
各側板２９の外側面における上下方向のほぼ中間部には、上下方向の中間部に外向き突条部３９ａが設けられた前後方向を向く補強杆３９が固着されている。
補強杆３９の外向き突条部３９ａの下部における前後部を除く中間部には、切欠き４０が設けられており、この切欠き４０より後方の外向き突条部３９ａの外側面には、垂直ローラ４１が、左右方向を向く軸４２をもって枢着されている。
【００３６】
この垂直ローラ４１は、ストッカー２６をストッカー収容空間１４に前方より挿入する際、ストッパ２３の傾斜面２３ｂに乗り上がり、ストッカー２６の後部を持ち上げつつ、ストッパ２３を乗り越えさせる作用と、ストッパ２３を乗り越えた後、ストッカー２６が、ストッカー収容空間１４内において、垂直ローラ４１がストッパ２３の当接面２３ａに当接する前限から、垂直ローラ４１が補助ガイドレール２２の停止片２２ｂに当接する後限までの範囲に亘っては、ガイドレール２１の水平片２１ａ上を転動し、ストッカー２６の後部を、後部のキャスタ３５が床面６より浮上した状態で、前後方向に円滑に移動しうるように案内する作用とを有している。
【００３７】
補助ガイドレール２２の水平片２２ａは、垂直ローラ４１が、ガイドレール２１の水平片２１ａから浮き上がるのを阻止するためのものであり、この補助ガイドレール２２(省略することもできる)と、ガイドレール２１とにより、垂直ローラ４１を、ストッカー２６の移動軌跡の前限から後限までの範囲に亘って、ほぼ水平の前後方向に案内する後部案内手段Ａが形成されている。
【００３８】
なお、この実施形態においては、ガイドレール２１の水平片２１ａの後端部に、切欠き２１ｃを設けてあるため、ストッカー２６が後限に達したとき、垂直ローラ４１がこの切欠き２１ｃに落ち込み、後部のキャスタ３５は、床面６に近接するか、または接触するようになっている。
【００３９】
切欠き４０より前方の外向き突条部３９ａの下端には、水平片４３ａの後端に、後上向き傾斜する傾斜片４３ｂが連設されたガイド片４３における上記水平片４３ａが、その傾斜片４３ｂが切欠き４０内に位置するようにして固着されている。
【００４０】
このガイド片４３は、ストッカー２６が後限に近づいたとき、傾斜片４３ｂの下面の後上向き傾斜する傾斜面がガイドローラ２４に乗り上がり、前部のキャスタ３４が床面６より浮上するまで、ストッカー２６の前部を持ち上げ、その後、ストッカー２６が後限に至るまでは、水平片４３ａの下面の水平面が、ガイドローラ２４上を前後方向に移動し、前部のキャスタ３４が床面６より浮上した状態を維持する作用を有している。
【００４１】
すなわち、ガイド片４３とガイドローラ２４とにより、ストッカー２６が後限に近づいた位置から後限に至るまでの間において、ストッカー２６の前部を、前部のキャスタ３４が浮上するように案内する前部案内手段Ｂが形成されている。
【００４２】
次に、図４、および図６〜図１０を参照して、第１の実施形態の作用について説明する。
ストッカー収容空間１４に、ストッカー２６を前方より押し入れると、図６に示すように、垂直ローラ４１がストッパ２３の傾斜面２３ｂに乗り上がり、ストッカー２６の後部が持ち上げられ、後部のキャスタ３５が床面６より浮上させられる。
【００４３】
図７に示すように、垂直ローラ４１がストッパ２３の傾斜面２３ｂの頂部を乗り越えると、図８に示すように、垂直ローラ４１は、ガイドレール２１の水平片２１ａ上に受支される。このとき、垂直ローラ４１は、ストッパ２３の当接片２３ａに当接する前限に位置し、後部のキャスタ３５は、床面６よりわずかに浮上した状態に維持される。
【００４４】
この状態から、ストッカー２６を後方に押すと、垂直ローラ４１は、ガイドレール２１の水平片２１ａ上を転動し、かつ前部のキャスタ３４は、床面６に沿って転動して、ストッカー２６は、若干後部が持ち上げられた状態で、後方に円滑に移動することができる。
【００４５】
また、ストッカー２６をストッカー収容空間１４に前方より押し入れた初期より、ガイドローラ１９がストッカー２６の側板２９の下部外側面に沿って、また水平ローラ３７がブラケット１２の上部内側面に沿って、それぞれ転動することにより、ストッカー２６の左右方向の位置決めがなされるとともに、ストッカー２６は、円滑に前後方向に案内される。
【００４６】
図９に示すように、ストッカー２６が後限に近づくと、ガイド片４３の傾斜片４３ｂの下面がガイドローラ２４に乗り上がり、前部のキャスタ３４が床面６より浮上するまで、ストッカー２６の前部が持ち上げられ、その後、ストッカー２６が後限に至るまでは、図１０に示すように、水平片４３ａの下面の水平面が、ガイドローラ２４上を後方に移動し、前部のキャスタ３４は、床面６より浮上した状態に維持される。
【００４７】
図４に示すように、ストッカー２６が後限に達すると、垂直ローラ４１は、ガイドレール２１の水平片２１ａにおける切欠き２１ｃに落ち込み、ストッカー２６の後部がわずかに下降し、後部のキャスタ３５は、床面６に接するか、または床面６よりわずかに浮上した状態に維持される。
【００４８】
このとき、ストッカー２６の前部は、前部のキャスタ３４が床面６より浮上した状態で維持されているので、床面６に不陸があったとしても、それによって前面板２８に傾きが生じることはなく、前面板２８はベース棚板１１や側板１３の前端面に対して、常に同一の状態で保持され、美麗な外観を呈することができる。
【００４９】
また、ストッカー２６が収納位置である後限に位置しているとき、垂直ローラ４１が切欠き２１ｃに落ち込んでいることによって、ストッカー２６の前方への移動に適度の抵抗力を付与することができ、それによって、地震その他の振動等により、ストッカー２６が無暗に開くのを防止することができる。
【００５０】
ストッカー２６を収納位置から開くには、前面板２８の手掛け部２７に手を掛けて、手前に引く。すると、垂直ローラ４１が切欠き２１ｃからガイドレール２１の水平片２１ａ上に乗り上がり、以後、水平片２１ａ上を転動し、ストッカー２６の後部は、後部のキャスタ３５が床面６から浮上した状態で、円滑に前方に移動する。
【００５１】
また、ガイドローラ２４上を、ガイド片４３の水平片４３ａと傾斜片４３ｂとが通過する間に、ストッカー２６の前部が下降して、前部のキャスタ３４が接床し、それ以後は、キャスタ３４が床面６に沿って転動することにより、ストッカー２６の前部は、前方に円滑に移動させられる。
【００５２】
ストッカー２６が前限に達すると、垂直ローラ４１は、ストッパ２３の当接面２３ａに当接して、ストッカー２６はその位置に停止させられる。
したがって、通常は、ストッカー２６は、上記のような態様で、前限と後限との間を前後方向に移動して、開閉させられる。
【００５３】
ストッカー２６を、ストッカー収容空間１４から取り出したい場合は、ストッカー２６を、図８に示すように、前限まで移動した後、ストッカー２６の後部を持ち上げつつ、前方に移動し、図７に示すように、垂直ローラ４１を、ストッパ２３の頂部を乗り越えさせて、その傾斜面２３ｂ上に載置させる。すると、垂直ローラ４１が傾斜面２３ｂに沿って転動しつつ下降し、ストッカー２６の後部のキャスタ３５が接床した後は、ストッカー２６は、前後のキャスタ３４、３５により、自立した状態で、床面６に沿って自由に移動することができる。
【００５４】
以上から明らかなように、第１の実施形態においては、ストッカー２６を収納位置としたとき、ストッカー２６は、キャスタ３４が床面６から浮上した状態で、後部が後部案内手段Ａにより、また前部が前部案内手段Ｂにより支持されるようにしてあるので、床面６に不陸があっても、陳列棚とストッカー２６と間にレベルのずれが生じることはなく、常に美麗な外観を呈することができる。
また、ストッカー２６を収納位置から手前に少し引くと、キャスタ３４が接床し、ストッカー２６の前部の荷重をキャスタ３４で支承することができるので、ストッカー２６の出し入れ時の陳列棚全体の重心の移動を小さくすることができる。
【００５５】
図１１は、本発明の第２の実施形態を示す。なお、図１１において、第１の実施形態におけるのと同一または類似の部材には、同一の符号をもって図示するに止め、それらについての詳細な説明は省略する(図１２における本発明の第３の実施形態においても同様とする)。
この実施形態においては、前部案内手段Ｂを、ストッカー２６における側板２９の前部外側面に、第２の垂直ローラ５１を、左右方向を向く軸５２をもって枢着し、ストッカー２６が後限に近づいたとき、この垂直ローラ５１が、側板１３におけるブラケット１２の内面に設けたガイド片５３における水平片５３ａの前端より前下方に向かって傾斜する傾斜片５３ｂ上に乗り上がることにより、ストッカー２６の前部を、前部のキャスタ３４が浮上するまで上昇させ、垂直ローラ５１が、水平片５３ａ上を後方へ向かって転動することにより、ストッカー２６の前部を、キャスタ３４が浮上した状態で維持するようなものとしてある。
【００５６】
すなわち、第１の実施形態におけるガイドローラ２４とガイド片４３との取付位置関係を逆にして、第１の実施形態と同様に作用するようにしたのが第２の実施形態である。
【００５７】
図１２は、本発明の第３の実施形態を示す。
この実施形態においては、ガイドレール２１の水平片２１ａの下面に後端部を止着した前後方向を向く板ばね(付勢手段)６１の前端部を、上方を向く当接面６１ａと、その上端より前下方に向かって傾斜する傾斜面６１ｂとが形成されるように折曲することにより、ストッパ６２を形成し、常時は、当接面６１ａがガイドレール２１の水平片２１ａの上面より上方に突出する上昇位置に位置しているが、垂直ローラ４１が傾斜面６１ｂに沿って転動しつつ後方に移動すると、板ばね６１の前部が下方に弾性撓曲して、図１２に想像線で示すように、当接面６１ａの上端が、ガイドレール２１の水平片２１ａの上面と等高かまたは若干上方に位置する下降位置まで移動しうるようにしてある。
【００５８】
このような構成としたことにより、第３の実施形態においては、ストッカー２６を陳列棚に装着する際、垂直ローラ４１およびストッカー２６の後部が大きく持ち上げられることなく、垂直ローラ４１はガイドレール２１の水平片２１ａ上に乗り上がることができ、ストッカー２６を陳列棚に、より円滑に挿入することができる。
【００５９】
本発明は、上記実施形態のみに限定されるものではなく、幾多の変形した態様での実施が可能である。
例えば、ガイドレール２１の水平片２１ａにおける切欠き２１ｃを省略し、それに代えて、側板１３に、ストッカー２６を後限で弾圧保持する公知のキャッチャーを設けてもよい。
【図面の簡単な説明】
【００６０】
【図１】本発明の第１の実施形態を備える陳列棚におけるストッカーを引き出した状態の外観斜視図である。
【図２】同じく、左下部を内方より見た分解斜視図である。
【図３】同じく、ストッカーの左側部を外方より見た斜視図である。
【図４】同じく、ストッカーを後限の収納位置としたときの陳列棚の下部の拡大側面図である。
【図５】図４のV−V線に沿う拡大縦断正面図である。
【図６】ストッカーを収納し始めの状態を示す一部切欠き側面図である。
【図７】図６の状態より、ストッカーをさらに押し込んだときの一部切欠き側面図である。
【図８】図７の状態より、ストッカーをさらに押し込んだときの一部切欠き側面図である。
【図９】図８の状態より、ストッカーをさらに押し込んだときの一部切欠き側面図である。
【図１０】図９の状態より、ストッカーをさらに押し込んだときの一部切欠き側面図である。
【図１１】本発明の第２の実施形態における、図６と同様の部分の一部切欠き側面図である。
【図１２】本発明の第３の実施形態における、ストッパと垂直ローラとの関係を示す部分拡大縦断側面図である。
【符号の説明】
【００６１】
１  支柱
２  ベース脚
３  横連結杆
４  フレーム
５  アジャスタボルト
６  床面
７  背板
８  係止孔
９  棚板ブラケット
１０  棚板
１１  ベース棚板
１２  ブラケット
１２ａ垂下片
１２ｂ中空部
１３  側板
１４  ストッカー収容空間
１５  係合孔
１６  切り起し片
１７  係止フック
１８  ローラ支持片
１９  ガイドローラ
２０  軸
２１  ガイドレール
２１ａ水平片
２１ｂ垂下片
２１ｃ切欠き(凹部)
２２  補助ガイドレール
２２ａ水平片
２２ｂ停止片
２３  ストッパ
２３ａ当接面
２３ｂ傾斜面
２４  ガイドローラ
２５  軸
２６  ストッカー
２７  手掛け部
２８  前面板
２９  側板
３０  後面板
３１  底板
３２、３３  補強杆
３４、３５  キャスタ
３６  ブラケット
３７  水平ローラ
３８  軸
３９  補強杆
３９ａ外向き突条
４０  切欠き
４１  垂直ローラ
４２  軸
４３  ガイド片
４３ａ水平片
４３ｂ傾斜片
５１  第２の垂直ローラ
５２  軸
５３  ガイド片
５３ａ水平片
５３ｂ傾斜片
６１  板ばね(付勢手段)
６１ａ当接面
６１ｂ傾斜面
６２  ストッパ
Ａ  後部案内手段
Ｂ  前部案内手段
【図１】
0005184854.tif 000002
【図２】
0005184854.tif 000003
【図３】
0005184854.tif 000004
【図４】
0005184854.tif 000005
【図５】
0005184854.tif 000006
【図６】
0005184854.tif 000007
【図７】
0005184854.tif 000008
【図８】
0005184854.tif 000009
【図９】
0005184854.tif 000010
【図１０】
0005184854.tif 000011
【図１１】
0005184854.tif 000012
【図１２】
0005184854.tif 000013